Podtech/llm-jp-corpus-v4-ja_patent huggingface dataset:
(57)【要約】      （修正有）【課題】スポンジ本体に石鹸を挿入し使用する事により、安全かつ効率よく洗顔および洗体を行う。【解決手段】スポンジ本体に開口部をあけ、３から石鹸本体を挿入し４で泡を外部に出し、泡立てを高利率よくし、洗顔および洗体を円滑に行う。５は、石鹸本体の損傷を最小限に且つ、経済的である。【選択図】図２
0003138607.tif 000002
【実用新案登録請求の範囲】
【請求項１】
スポンジ本体に通気穴を開けるとともに、石鹸の出し入れのため開口部を設け、内部にネットを二重で取り付け開閉には、マジックテープ及びナイロンチャック等を用いスポンジ本体で泡立てできるところを特徴とする洗顔及び洗体スポンジ
【考案の詳細な説明】
【技術分野】
【０００１】本考案は、スポンジに通気穴を複数開け、開口部を設けて内部を二重ネットにして、石鹸を挿入し、マジックテープ及びナイロンチャック等で閉じる洗顔及び洗体スポンジに関するものである。
【背景技術】
【０００２】洗顔を行う場合、石鹸をスポンジ及び泡立てネット等を使用し、洗顔を行っていた。
石鹸皿から、石鹸を取り泡立てるとき落下する。
【考案の開示】
【考案が解決しようとする課題】
【０００３】石鹸とスポンジ等を別々に使用すると、石鹸をすべらせたり落としたりして最後まで使用できず効率が悪く不経済である。従ってスポンジと石鹸を一体にすることにより石鹸を無駄なく使用でき前述の欠点を解決しようとするものである。
【課題を解決するための手段】
【０００４】本考案は、スポンジ本体に石鹸を挿入できる開口部を設け、マジックテープ及びナイロンチャック等により開閉をすることにより、石鹸の出し入れを容易にし、且つ、二重ネットを内部に取り付けることによって破損を防ぎ経済的である。
【考案の効果】
【０００５】上述の様に、本考案の洗顔及び洗体スポンジは通常の洗顔は勿論、石鹸を挿入し、そのまま泡を立てることができるので、泡立てネット等を使用せず泡立てが容易に行える。
【考案を実施するための最良の形態】
【０００６】スポンジ形状を四角型、丸型にし、石鹸挿入口をマジックテープ及びナイロンチャック等にて開閉を行う。スポンジ本体の通気穴を設ける事で、石鹸を泡立てる際、スポンジ外部に泡が出易くし、マイナスイオンを発生させる。内部ネットの二重構造は、石鹸の形状を保ち、スポンジ本体の抗菌性を上げるために、スキルチタンを配合する。
【実施例】
【０００７】以下、添付図面に従って実施例を説明する。１，２はスポンジフォームにスキルチタンを配合した適宜素材等にて形成されたスポンジ本体、３は石鹸を挿入する開口部で石鹸が外部に出ないようマジックテープ及びナイロンチャック等で開閉する。
４は泡立てた泡がスポンジ外部に表面に伝わるようにスポンジ本体に多数あける。
５は石鹸本体が、損傷しないよう保護をし、耐久性を持たせるため、二重にする。
【図面の簡単な説明】
【０００８】
【図１】  本考案のスポネットムーの実施例を示す正面図である。
【図２】  本スポンジの一部切欠断面図である。
【符号の説明】
【０００９】１  四角型
２  丸型
３  マジックテープ、ナイロンチャック
４  通気穴
５  二重アミ（ネット）
【図１】
0003138607.tif 000003
【図２】
0003138607.tif 000004
【手続補正書】
【提出日】平成19年9月28日(2007.9.28)
【手続補正１】
【補正対象書類名】実用新案登録請求の範囲
【補正対象項目名】全文
【補正方法】変更
【補正の内容】
【実用新案登録請求の範囲】
【請求項１】
スポンジ本体に通気穴を開けるとともに、石鹸の出し入れのため開口部を設け、内部にネットを二重で取り付け開閉には、マジックテープ及びナイロンチャック等を用いスポンジ本体で泡立てできるところを特徴とする洗顔及び洗体スポンジ
【手続補正２】
【補正対象書類名】明細書
【補正対象項目名】０００１
【補正方法】変更
【補正の内容】
【０００１】本考案は、スポンジに通気穴を複数開け、開口部を設けて内部を二重ネットにして、石鹸を挿入し、マジックテープ（登録商標）及びナイロンチャック等で閉じる洗顔及び洗体スポンジに関するものである。
【手続補正３】
【補正対象書類名】明細書
【補正対象項目名】０００４
【補正方法】変更
【補正の内容】
【０００４】本考案は、スポンジ本体に石鹸を挿入できる開口部を設け、マジックテープ（登録商標）及びナイロンチャック等により開閉をすることにより、石鹸の出し入れを容易にし、且つ、二重ネットを内部に取り付けることによって破損を防ぎ経済的である。
【手続補正４】
【補正対象書類名】明細書
【補正対象項目名】０００６
【補正方法】変更
【補正の内容】
【０００６】スポンジ形状を四角型、丸型にし、石鹸挿入口をマジックテープ（登録商標）及びナイロンチャック等にて開閉を行う。スポンジ本体の通気穴を設ける事で、石鹸を泡立てる際、スポンジ外部に泡が出易くし、マイナスイオンを発生させる。内部ネットの二重構造は、石鹸の形状を保ち、スポンジ本体の抗菌性を上げるために、スキルチタンを配合する。
【手続補正５】
【補正対象書類名】明細書
【補正対象項目名】０００７
【補正方法】変更
【補正の内容】
【０００７】以下、添付図面に従って実施例を説明する。１，２はスポンジフォームにスキルチタンを配合した適宜素材等にて形成されたスポンジ本体、３は石鹸を挿入する開口部で石鹸が外部に出ないようマジックテープ（登録商標）及びナイロンチャック等で開閉する。
４は泡立てた泡がスポンジ外部に表面に伝わるようにスポンジ本体に多数あける。
５は石鹸本体が、損傷しないよう保護をし、耐久性を持たせるため、二重にする。
【手続補正６】
【補正対象書類名】明細書
【補正対象項目名】０００９
【補正方法】変更
【補正の内容】
【０００９】１  四角型
２  丸型
３  マジックテープ（登録商標）、ナイロンチャック
４  通気穴
５  二重アミ（ネット）
(57)【要約】【課題】本考案は、全てを箱で囲い、作業時、運搬時にガラス繊維が飛散しないようにしたガラスマット簡単切断機を提供するものである。【解決手段】ガラスマットを簡単に引き出せるようマットの芯の中にローラー軸受けを設け技術不足でも切れるようにノコギリ様の波型の刃で切断できるようし、後始未も簡単に出来るように切りクズを受ける箱を設けた。【選択図】図２
0003138605.tif 000002
【実用新案登録請求の範囲】
【請求項１】
ガラスマットの切断を容易にするためにマット受け台をマットの幅で両側に、中央を開けて設け波形の刃で押し切る簡単切断機。
【考案の詳細な説明】
【技術分野】
【００１】本発案は、木材又は金属からなる簡単にマットを切断する工具に関する。
【背景技術】
【００２】従来建築現場でのＦＲＰ防水施工の際、現場寸法に合わせてガラスマット切断時には、切断部のほぐれの確保のため、当て木をして引き裂くか、折り目を入れて引き裂く方法がされている。
【考案の開示】
【考案が解決しようとする課題】
【００３】しかし技術不足では同寸法の切断は難しく又ガラス繊維の飛散等で他者に迷惑を及ぼすなど欠点があった。
【課題を解決するための手段】
【００４】ガラスマットの芯にローラーを付けた中軸を設け、マットを引き出せるように回転させる、引き出したマットを切断部に設けた金物で押さえる片方を手で押さえ、波形の刃で押しながら押し切る。
波形のギザギザの刃で押し切るために、ほぐれの確保が出来る、切断部に適度な幅の深い溝を設け、押し切ったガラス繊維クズは下に設けた箱で受ける、これにより上記の課題を解決するものである。
【考案を実施するための最良の形態】
【００５】図１に示すように、箱の中に、ガラスマットを入れマットの芯に、軸受けローラーを設け供回りしないように軸受けを角型にし、マットを回転させる。
図２に示すように、マットを上に引き出し切断用の受け台の上に載せる、平行にある受け台の隙間に、波形の刃で上から下に押しながら横に取り付けた寸法バーに合わせて切る。【００６】上記工程により完成した簡単マットカッターは寸法の確保、ほぐれの確保及び技術不足でも用意に切断が出来、時間の短縮にも貢献できるものである。
【図１】
0003138605.tif 000003
【図２】
0003138605.tif 000004
【手続補正書】
【提出日】平成19年5月10日(2007.5.10)
【手続補正１】
【補正対象書類名】明細書
【補正対象項目名】全文
【補正方法】変更
【補正の内容】
【考案の詳細な説明】
【技術分野】
【００１】本案件は、木材又は金属からなる簡単にマットを切断する工具に関する。
【技術背景】
【００２】従来建築現場でのＦＲＰ防水施工の際、現場寸法に合わせてガラスマット切断時には、切断部のほぐれの確保のため、当て木をして引き裂くか、折り目を入れて引き裂く方法がされている。
【考案の開示】
【考案が解決しょうとする課題】
【００３】しかし技術不足では同寸法の切断は難しく又ガラス繊維の飛散等で他者に迷惑を及ぼすなど欠点があった。
【課題を解決するための手段】
【００４】ガラスマットの芯にローラーを付けた中軸を設け、マットを引き出せるように回転させる、引き出したマットを切断部に設けた金物で押さえる片方を手で押さえ、波型の刃で押し切る。
波型のギザギザの刃で押し切るために、ほぐれの確保が出来る、切断部に適度な幅の深い溝を設け、押し切ったガラス繊維クズは下に設けた箱でうける、これにより上記の課題を解決するものである。
【考案を実施するための最良の形態】
【００５】図１に示すように、箱の中にガラスマットを入れマットの芯に、軸受けローラーを設け供回りしないように軸受けを角型にし、マットを回転させる。
図２に示すように、マットを上に引き出し切断用の受け台の上に載せる並行にある受け台の隙間に、波型の刃で上から下に押しながら横に取り付けた寸法バーに合わせてきる。【００６】上記工程により完成した簡単マットカッターは寸法の確保、ほぐれの確保及び技術不足でも容易に切断が出来、時間の短縮にも貢献できるものである。
【手続補正２】
【補正対象書類名】図面
【補正対象項目名】全図
【補正方法】変更
【補正の内容】
0003138605.tif 000005
0003138605.tif 000006
0003138605.tif 000007
0003138605.tif 000008
【手続補正書】
【提出日】平成19年11月28日(2007.11.28)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【考案の詳細な説明】
【技術分野】
【０００１】
本発案は、木材又は金属からなる簡単にマットを切断する工具に関する。
【背景技術】
【０００２】
従来建築現場でのＦＲＰ防水施工の際、現場寸法に合わせてガラスマット切断時には、切
断部のほぐれの確保のため、当て木をして引き裂くか、折り目を入れて引き裂く方法がさ
れている。
【考案の開示】
【考案が解決しようとする課題】
【０００３】
しかし技術不足では同寸法の切断は難しく又ガラス繊維の飛散等で他者に迷惑を及ぼすな
ど欠点があった。
【課題を解決するための手段】
【０００４】
ガラスマットの芯にローラーを付けた中軸を設け、マットを引き出せるように回転させる
、引き出したマットを切断部に設けた金物で押さえる片方を手で押さえ、波形の刃で押し
ながら押し切る。
波形のギザギザの刃で押し切るために、ほぐれの確保が出来る、切断部に適度な幅の深い
溝を設け、押し切ったガラス繊維クズは下に設けた箱で受ける、これにより上記の課題を
解決するものである。
【考案を実施するための最良の形態】
【０００５】
図１に示すように、箱の中に、ガラスマットを入れマットの芯に、軸受けローラーを設け
供回りしないように軸受けを角型にし、マットを回転させる。
図２に示すように、マットを上に引き出し切断用の受け台の上に載せる、平行にある受け
台の隙間に、波形の刃で上から下に押しながら横に取り付けた寸法バーに合わせて切る。
【０００６】
上記工程により完成した簡単マットカッターは寸法の確保、ほぐれの確保及び技術不足で
も用意に切断が出来、時間の短縮にも貢献できるものである。
【図面の簡単な説明】
【０００７】
【図１】使用概略を示す立体図である。
【図２】使用概略を示す断面図である。
【符号の説明】
【０００８】
１  軸受ローラ
２  ガラスマット
３  外箱
４  上枠
５  回転ローラー
６  押え金物
７  マット受け台
８  寸法バー
９  切り屑受け
１０  切断刃
１１  梱包箱（段ボール箱）
【手続補正２】
【補正対象書類名】手続補正書
【補正対象項目名】手続補正２
【補正方法】削除
【補正の内容】
【手続補正３】
【補正対象書類名】手続補正書
【補正対象項目名】手続補正３
【補正方法】削除
【補正の内容】
(57)【要約】      （修正有）【課題】針本体をあまり弱体化することなく、従来よりはるかに糸が通りやすい針の提供。【解決手段】針の穴の片方（糸を入れる側）を広く大きくすることにより、糸を通りやすくした針。【選択図】図１
0003138606.tif 000002
【実用新案登録請求の範囲】
針の穴の片方〈糸を入れる側〉を広く大きくすることにより、糸をより通りやすくした針。
【考案の詳細な説明】
【０００１】本発明は針の穴の片方を広く大きくして糸を通しやすくするものである。
0003138606.tif 000003
【手続補正書】
【提出日】平成19年8月13日(2007.8.13)
【手続補正１】
【補正対象書類名】実用新案登録請求の範囲
【補正対象項目名】全文
【補正方法】変更
【補正の内容】
【実用新案登録請求の範囲】
【請求項１】
〔１〕針の穴の片方を広く大きくして糸を通しやすくした針
【手続補正２】
【補正対象書類名】明細書
【補正対象項目名】全文
【補正方法】変更
【補正の内容】
【考案の詳細な説明】
【０００１】本発明は針の穴の片方を広く大きくして糸を通しやすくするものである
【図面の簡単な説明】
【図１】
0003138606.tif 000004
【図２】本考案の針の穴の拡大図
【手続補正３】
【補正対象書類名】図面
【補正対象項目名】全図
【補正方法】変更
【補正の内容】
【図１】
0003138606.tif 000005
【図２】
0003138606.tif 000006
【手続補正書】
【提出日】平成19年10月28日(2007.10.28)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【０００１】本発明は針の穴の片方を広く大きくして糸を通しやすくするものである
【図面の簡単な説明】
【図１】本考案の針の穴の拡大図の糸を入れる例
【図２】本考案の針の穴の拡大図の糸の出る例
(57)【要約】      （修正有）【課題】ボトルキャップの天井部分を自社以外の第三者の広告スペースとして利用持ち運び可能な広告媒体を提供する。【解決手段】広告形状は、シール状のものを貼付する方法と直接印刷する形式とし、キャップの天井部分に広告主指定の広告を付け、既存の販売ルートにのせる。広告代理店の役割をする企業活動で両社のコラボレーションは可能になる。【選択図】図１
0003138609.tif 000002
【実用新案登録請求の範囲】
【請求項１】
本件、実用新案登録の主意は、ボトルキャップ（包装用の容器の蓋）の天井部分を自社以外の第三者の広告スペースとして利用することを登録するもの。本案の最大の効果は、「動く（持ち運び可能な）広告媒体」が創造できること。
広告形状は、シール状のものを貼付する方法と直接印刷する形式が考えられ、選択できるようにし、消費者が収集することでゴミになる量も減らす環境にやさしい考案である。
考えられる広告掲載企業は、野球チーム・サッカーチーム・自動車会社・二輪製造会社・航空会社・レーベル会社・私立学校・一般企業と無制限にその範囲が拡大する可能性を秘めている。
【考案の詳細な説明】
【技術分野】
【０００１】包装用の容器の蓋
【背景技術】
【０００２】現状は、自社広告（ロゴマーク）の印刷またはブランド広告としている
【考案の開示】
【考案が解決しようとする課題】
【０００３】広告主と包装用容器製造者（飲料水メーカー等）の間に介在者が必要
【課題を解決するための手段】
【０００４】広告の効果と環境への配慮を説明する営業活動で可能
【考案の効果】
【０００５】相当数製造されるボトルへの広告は、訴求効果も見込まれ新たな広告媒体として注目を浴びることは必至
【考案を実施するための最良の形態】
【０００６】例えば、サッカーチームのロゴを印刷することによって、消費者は応援するチームのロゴが入った商品を選択することになり、他の商品と差別化が図れる
【実施例】
【０００７】実用新案登録請求の範囲の請求項５にも示した通り、多種多様の業種が考えられそのマーケットは限りなく広がる
【図面の簡単な説明】
【０００８】
【図１】添付の図面の通り、キャップの天井部分に広告主指定の広告を付け、既存の販売ルートにのせる
【図１】
0003138609.tif 000003
【手続補正書】
【提出日】平成19年10月9日(2007.10.9)
【手続補正１】
【補正対象書類名】実用新案登録請求の範囲
【補正対象項目名】全文
【補正方法】変更
【補正の内容】
【実用新案登録請求の範囲】
【請求項１】
本件、実用新案登録の主意は、ボトルキャップの天井部分を自社以外の第三者の広告スペースとして利用することを登録するもので、本案の最大の効果は、持ち運び可能な広告媒体が創造できることであり
（１）広告形状は、シール状のものを貼付する方法と直接印刷する形式を考え、消費者が収集することでゴミになる量も減らす環境にやさしい考案
（２）考えられる広告掲載企業は、野球チーム・サッカーチーム・自動車会社・二輪製造会社・航空会社・レーベル会社・私立学校・一般企業等と無制限に範囲が拡大する
以上からなるボトルキャップ。
(57)【要約】【課題】    本考案は洗った発泡スチロール、プラスチック等の資源ゴミを清潔、簡易、綺麗に整頓して収納できるプラスチック類ゴミ乾燥室付収納庫を安価に提供し、資源ゴミのリサイクルをする。【解決手段】  本考案は、洗浄した発泡スチロール、プラスチックゴミ等を乾燥させる室と当該資源ゴミ保管するゴミ収納室を一体化形成した縦長形のプラスチック類ゴミ乾燥室付収納庫である。洗浄したプラスチック類ゴミを上部の乾燥室に吊るして乾かし、下部の収納室の中には透明のポリ袋を取り付けた回収箱を設け、乾燥した当該ゴミは回収箱に入れて、資源ゴミを清潔かつ簡易に整頓して保管することにより資源ゴミのリサイクルに役立つ。【選択図】図１
0003138651.tif 000002
【実用新案登録請求の範囲】
【請求項１】
家庭用プラスチック類の容器包装ゴミの保管において、洗浄したプラスチック類を自然に乾かす乾燥室を上部設け、当該乾燥したプラスチック類ゴミを透明のポリ袋に回収する箱を納める収納室を下部に設け、二つの室を一体化形成にしたところを特徴とするプラスチック類ゴミ乾燥室付収納庫。
【考案の詳細な説明】
【技術分野】
【０００１】  本考案は、発泡スチロール、プラスチック等のプラスチック類の回収資源ゴミを自然の力で乾燥して収納することでプラスチック類をリサイクルに寄与するゴミ収納庫に関するものである。
【背景技術】
【０００２】  プラスチック類のゴミは、燃える家庭ゴミとして回収されていた。しかし、最近は、プラスチック類のゴミはリサイクルさせるため家庭ゴミと区分して回収する。このため、プラスチック類のゴミは洗浄、乾燥させ、透明なポリ袋に収納して、各家庭の台所等に収集日まで保管されるが、その間は保管場所が乱雑となり美観が損なわれるとともに乾燥及び収納場所等が広くなる問題がある。
【考案の開示】
【考案が解決しようとする課題】
【０００３】  プラスチック類のゴミは洗浄、乾燥をさせ、各家庭の台所等にゴミ収集日まで保管されるが、家庭における乾燥場所及び保管場所をコンパクトにして美観を保つとともに清潔、整頓して保管でき、上述の欠点を解決しようするものである。
【課題を解決するための手段】
【０００４】  本考案は、洗ったプラスチック類のゴミを乾燥室に備えてあるクリップで吊して自然の力で乾燥さし、下部に設けている収納室には透明のポリ袋をセットした回収箱を置き、乾燥したプラスチック類は当該回収箱に入れて保管することにより、家庭における乾燥場所及び保管場所をコンパクトにしてかつ清潔、整頓して簡単に回収できることにより問題点を解決している。
【考案の効果】
【０００５】  上述のように、本考案のプラスチック類ゴミ乾燥室付収納庫は、プラスチック類ゴミを乾燥さす室を上部に、乾燥させた当該ゴミをポリ袋に回収して収納する箱をいれる収納室を下部に設け、両室を縦長のゴミ収納庫として一体化形成することによりゴミ収納庫の占有面積を少なくして清潔に整頓して保管でき、簡単にプラスチック類ゴミが処分できることによりプラスチック類ゴミのリサイクルが図られる。
【考案を実施するための最良の形態】
【０００６】  本考案のプラスチック類ゴミ乾燥室付収納庫は、乾燥室で乾かすときに吊し易いようにクリップ備え、風通しを良くするために前面は全開、背面には窓を開け、両側面の板は、クリップ先端の位置にあわせて凹面に切り取って窪んだ状態にする。【０００７】  乾燥室とゴミ収納室は、一体化形成され、ゴミ収納室にはプラスチック類ゴミを入れる透明のポリ袋がセットできる回収箱が設置又は取り出すことが簡単にできるように前面を開放にする。
【実施例】
【０００８】  以下、添付図面に従って一事例を説明する。１はベニヤ板と木を貼り合わせた合板を素材とするプラスチック類ゴミ乾燥室付収納庫本体、２は洗浄したプラスチック類を乾燥する防水を施した室で、この乾燥室内にプラスチック類ゴミをクリップで吊す器具３，４，５を装着して自然の力で乾燥する。【０００９】  ６は、前記乾燥したプラスチック類を回収する箱であり、その中に７の透明のポリ袋が８のクリップを使用してセットをする。９はプラスチック類回収箱を収納する収納室で前面から回収箱を設置又は取り出しが可能であり、回収箱からポリ袋だけを取り出してゴミ収集場所に持参する。
【図面の簡単な説明】
【００１０】
【図１】本考案のプラスチック類ゴミ乾燥室付収納庫の斜視図である。
【図２】本考案のプラスチック類ゴミ乾燥室付収納庫の正面図である。
【図３】本考案のプラスチック類ゴミ乾燥室付収納庫の断面図である。
【符号の説明】
【００１１】１  プラスチック類ゴミ乾燥室付収納庫本体２  乾燥室３  吊すクリップ４  リング５  固定板６  回収箱７  透明のポリ袋８  透明のポリ袋を留めるクリップ９  収納室
【図１】
0003138651.tif 000003
【図２】
0003138651.tif 000004
【図３】
0003138651.tif 000005
(57)【要約】      （修正有）【課題】簡易で、容易に拾いあげることができ且つ静止させることを可能にし、且つプレーを妨害しない装置とヘッドに半球形のくぼみを有するグランドゴルフ用クラブを提供する。【解決手段】ボックス型取付け基部４Ａ及び円形打ち抜きショベル部４Ｂとからなるボールすくい上げ装置４を備え、該ボックス型取付け基部４Ａはボックス正面に半円形ボール受け４Ａａを有し、該円形打ち抜きショベル部４Ｂは樋状構造をなし、ショベル底面４Ｂａは内側に軽く湾曲し、底部に円形打ち抜き４Ｂｂ箇所を有し、ボックス型取付け基部４Ａの外側面において受けピンで回転可能に固定され、円形打ち抜きショベル部４Ｂ、円形打ち抜き４Ｂｂ及び半円形ボール受け４Ａａとの連携によりボールをすくい上げることができ且つ静止させることができるグランドゴルフ用クラブ【選択図】図１
0003138655.tif 000002
【実用新案登録請求の範囲】
【請求項１】
ボックス型取付け基部４Ａ及び円形打ち抜きショベル部４Ｂとからなるボールすくい上げ装置４を備え、該ボックス型取付け基部４Ａはボックス正面に半円形ボール受け４Ａａを有し、該円形打ち抜きショベル部４Ｂは樋状構造をなし、ショベル底面４Ｂａは内側に軽く湾曲し、底部に円形打ち抜き４Ｂｂ箇所を有し、ボックス型取付け基部４Ａの外側面において受けピンで回転可能に固定され、円形打ち抜きショベル部４Ｂ、円形打ち抜き４Ｂｂ及び半円形ボール受け４Ａａとの連携によりボールをすくい上げることができ且つ静止させることができるグランドゴルフ用クラブ
【考案の詳細な説明】
【技術分野】
【０００１】  本考案は、ボールをすくい上げ且つ静止させることを可能にしたグランドゴルフ用クラブに関するものである。
【背景技術】
【０００２】  従来は、スティックを使用する種々の競技において、ボールを拾い上げるのに、競技者が腰を屈める必要のない、腰痛、膝痛を防止するための様々な考案がなされてきた。例えば、下記のものはいずれもゲートボール用パターに関し、ボールをすくい上げるためのフォーク部を備えた実用新案公告平６−３０２１５号、ボールを打つヘッド底部にボールを挟み込む保持具を備えた実用新案公開公報平１−１２６２７１号、ヘッド底部にボールを保持しリリースする複雑な装置を備えた特許公開公報平１０−８０５０８号等がある。更に、本考案者による実用新案登録第３１３１３７７号がある。
【考案の開示】
【考案が解決しようとする課題】
【０００３】  競技者が高齢者、腰痛者や身障者である場合などに、ボールを拾い上げるのが困難でありゲームに参加するのが困難であった。この課題を解消するために簡易で、ボールを容易にすくい上げることができ且つ静止させ、プレーの際は、容易に格納できてプレーの妨げにならない装置及び構造を備えたグランドゴルフ用クラブを提供するものである。
【課題を解決するための手段】
【０００４】  本考案は、特にグランドゴルフの場合に使用されるヘッド部２にボックス型取付け基部４Ａ及び円形打ち抜きショベル部４Ｂからなるボールすくい上げ装置４を設け、更にボックス型取付け基部正面には半円形ボール受け４Ａａを設け、円形打ち抜きショベル部４Ｂは樋状構造を有し、そのショベル底面４Ｂｂは軽く湾曲し、底面には円形の打ち抜き箇所を有している。このボックス型取付け基部４Ａと円形打ち抜きショベル部４Ｂはボックス型取付け基部４Ａのボックス部分の両外側面で受けピンにより回転可能に円形打ち抜きショベル部４Ｂと固定され一体化されている。更にこれらからなるボールすくい上げ装置４は、ヘッドの非打撃部のフェース部分にボックス型取付け基部４Ａの取付け部分においてネジ等の留め具で固定される。ボックス型取付け基部４Ａと円形打ち抜きショベル部４Ｂとの連携によりボールをすくい上げ、静止させることができ、更に本装置の円形打ち抜きショベル部４Ｂは、競技中にクラブヘッド面側に９０度回転させることにより、容易に格納できプレーの妨げとはならない。【０００５】  ボックス型取付け基部４Ａは、クラブヘッド部２に固定される背面板、及び約１ｃｍ幅の両端部を残して背面板から垂直に立ち上がる側面部及び背面板に平行で両側面部を塞いで前面を構成する薄板状の半円形ボール受け４Ａａとで一体的にボックスを形成するように作られている。【０００６】  半円形ボール受け４Ａａに関して、正面から見た半円形の大きさは、４〜６ｃｍ位の直径を有すれば十分である。奥行きは約１〜１．５ｃｍほどである。円形打ち抜きショベル部４Ｂの円形打ち抜き４Ｂｂは、樋状構造のショベル底面４Ｂａの中央部に直径２〜３ｃｍの円形に打ち抜かれたボールを静止させるための穿孔部分である。
【考案の効果】
【０００７】  高齢者、腰痛者や身障者等が、ボールを拾い上げるのを容易にすることができ、ショベル部４Ｂａ、円形打ち抜き４Ｂｂと半球形ボール受け部４Ａａとの連携により球受けを容易にする。更に、ショベル部は容易に格納できてプレーの妨げにならない利点を有する。
【図面の簡単な説明】
【０００８】
【図１】  グランドゴルフ用クラブ斜視図
【図２】  ボールすくい上げ装置立面図
【図３】  ボールすくい上げ装置平面図
【図４】  ボールすくい上げ装置側面図
【図５】  ボールすくい上げ装置斜視図
【図６】  ショベル嵌合部斜視図
【符号の説明】
【０００９】１：  シャフト部
２：  ヘッド部
３ａ：  非打撃フェース
３ｂ：  打撃フェース
４：  ボールすくい上げ装置
４Ａ：ボックス型取付け基部
４Ａａ：半円形ボール受け
４Ａｂ：ボックス外側面
４Ａｃ、Ａｄ：受けピン部
４Ｂ：円形打ち抜きショベル部
４Ｂａ：ショベル底面
４Ｂｂ：円形打ち抜き
５ａ、ｂ、ｃ、ｄ：留め具
【図１】
0003138655.tif 000003
【図２】
0003138655.tif 000004
【図３】
0003138655.tif 000005
【図４】
0003138655.tif 000006
【図５】
0003138655.tif 000007
【図６】
0003138655.tif 000008
(57)【要約】【課題】  窓の採光に対する処理は例えレースカーテンでも入射光の何割かを遮断することになり、室内の照度を低下させる結果となっている。入射光の眩しさを調整しながら積極的に採光するという、相反する条件を可能にするシェードの開発。【解決手段】  窓の内側に上下にスライドするシェードパネルを装着し、上段のシェードパネル１は更に内側へ倒れ、そのパネルの表面にミラーフィルムが貼られ、そのミラー面に反射した入射光を室内の天井面に取り込む事が可能となる。又下段のシェードパネル２は和紙を塩化ビニル樹脂パネルでコーティングした板をはめ込み、入射光の方向、角度に合わせて必要な部分だけを調光することが可能である。【選択図】図１
0003138621.tif 000002
【実用新案登録請求の範囲】
【請求項１】
窓サッシュの室内側に装着するもの。窓からの入射光を調整するシェード。窓面を分割したミラーフィルムを貼ったシェードパネルと半透明のシェードパネルの二種類のパネルが上下にスライドする。ミラーフィルムのシェードパネルは室内側に倒れる機構を持ち、入射光を天井面に反射させて室内の照度を上げる機能を持つ。半透明のシェードパネルは入射光の方向、角度に応じて上下にスライドさせ微妙な調光が可能となるものである。
【考案の詳細な説明】
【技術分野】
【０００１】本考案は窓からの入射光に対する対応シェードであり、積極的な採光を目的とする。
【背景技術】
【０００２】従来の窓からの採光対策はカーテン、レース、ブラインド類などで処理されていた。
【考案の開示】
【考案が解決しようとする課題】
【０００３】しかし、これらは、日中の入射光の何割かを遮断することになり、室内の照度を低下させる結果となっている。入射光の眩しさを調整しながら積極的に採光するという、相反する条件を満たさなければならない。
【課題を解決するための手段】
【０００４】そこで、窓の内側に上下にスライドするシェードパネルを装着し、上段のシェードパネルは更に内側へ倒れ、そのパネルの表面にミラーフィルムが貼られ、そのミラー面に反射した入射光を室内の天井面に取り込む事が可能となる。（図１）又下段のスライドシェードパネルは和紙を塩化ビニル樹脂でコーティングした板（半透明）をはめ込み、入射光の方向、角度に合わせ必要な部分だけ調光することが可能である。
【考案の効果】
【０００５】よって、本考案の入射光を反射収集及び調光するシェードにより、従来の窓処理が結果として入射光の何割かを遮断することになっていた、それに対して窓処理の機能を保持しながら積極的に入射光を取り入れるというこれまでには無かった機能を付加することが可能となる。又その他のシェードパネル（半透明）も上下にスライドすることで入射光の方向、角度に合わせ微調整が可能となる。室内の環境を維持しながら光りを取り込み照度を上げることで、少なくても窓周辺の照明器具の点灯を抑えることが可能となる。結果として電気代の節約につながる。
【考案を実施するための最良の形態】
【０００６】本考案に係る入射光を反射収集及び調光するシェードは図１に示すように、三枚のシェードパネルが上下にスライドし、板バネ３によりどの高さにも固定することができる。そのうち最上段のシェードパネル１は上下にスライドし、更に内蔵されているパネルが室内側へ９０度倒れる機構を持たせてある。全体の枠はアルミ製、焼き付け塗装仕上、パネル部分はポリカーボネート下地にミラーフィルム貼りを想定している。下段のシェードパネル２は和紙を塩化ビニル樹脂パネルでコーティングしたものを使用する。サイズは窓の大きさ、形状に合わせて製作する。
【図面の簡単な説明】
【０００７】
【図１】本考案に係る入射光を反射収集及び調光するシェードを窓枠に取りつけた断面図。
【図２】上記、入射光を反射収集及び調光するシェードの正面図（室内側から見た図）。
【符号の説明】
【０００８】１  入射光を反射収集するシェードパネル
２  和紙を塩化ビニル樹脂板でコーティングした調光シェードパネル
３  板バネ
【図１】
0003138621.tif 000003
【図２】
0003138621.tif 000004
【手続補正書】
【提出日】平成19年10月18日(2007.10.18)
【手続補正１】
【補正対象書類名】実用新案登録請求の範囲
【補正対象項目名】全文
【補正方法】変更
【補正の内容】
【実用新案登録請求の範囲】
【請求項１】
窓からの入射光を調整することにおいて、
（１）窓の室内側にサッシュ製の枠を装置する。
（２）装置された枠の中を分割されたサッシュフレームのパネルが上下に移動する。
（３）移動するパネルは和紙を塩化ビニル樹脂でコーティングした板がはめ込まれている。  以上からなる調光シェード。
【請求項２】
請求項１に記載の調光シェードにおいて、
（１）分割され上下移動するパネルのフレームの更に内側のパネル部分が、室内側へ９０度傾斜する機構を持ったタイプのパネルを装着する。
（２）傾斜するパネルはポリカーボネート下地にミラーフィルムが貼られてある。
以上からなる反射収集パネルを更に備えている事を特徴とする調光シェード。
(57)【要約】      （修正有）【課題】万物を測定するために深度調節部分と磁気増幅機能を持たせる。【解決手段】本体は２組の相対した形状を有しており、１３と１７部分に同質のサンプル１個を右と左に持つことにより、１４と１８部分により磁気が増幅されて１１と１５の部分で深度調節する機能を有することを特徴とする。【選択図】図１
0003138626.tif 000002
【実用新案登録請求の範囲】
【請求項１】
本体の両方の先端にあるコイル型にした形状部分にて右側を右巻きに左側を左巻きにして深度を調節できることを特徴とする万物測定機。
【請求項２】
前記測定機の両方下部分にあるうず巻き部分にて右側を右巻きに左側を左巻きにして磁気を増幅させることを特徴とする請求項１記載の万物測定機。
【考案の詳細な説明】
【技術分野】
【０００１】  本発明は、地下の鉛以外の全部の物体  固体の測定が可能である。
【背景技術】
【０００２】  従来、地下選定技術用の物では比鉄金属等の深度及び大きさ性質等は測定はできなかった。
【考案の開示】
【考案が解決しようとする課題】
【０００３】  上述の如く金属質の場合には金属探知機を用いれば良いのであるが比鉄金属の場合は測定は難しい。【０００４】  このため、比鉄金属類等に関してや一部金属類を含みその測定が困難である。しかるに人が土に埋った場合等はその救出に時間を要し大事な人命が失われるケースが多いのが現状である。【０００５】  本発明はこのような点に鑑みて成されたものでありその目的は地下の見えない人物を即測定し助けあるいは反応させて回収することである。それは同質の固形の物体のサンプルを２個使用してそれを手で持って本体を３次元的に動かして反応させ感知、測定させることができるようにすることである。
【課題を解決するための手段】
【０００６】  上述の目的を達成する本発明の測定機は両方の先端にあるコイル型にした形状部分にて右側を右巻きに左側を左巻きにして深度を調節できることを特徴とする。【０００７】  前記測定機の両方下部にあるうず巻き部分にて右側を右巻きに左側を左巻きにして磁気を増幅させることを特徴とする。
【考案の効果】
【０００８】  以上説明したように本発明は鉛以外の全ての物体に反応感知できるものでありその強い透過力は、ガンマー線にまさる程のものである。一例として骨に反応させる場合にはニワトリの足の骨を２本使用して持ち自分の足の甲に鉛の板で囲って防御する。注意点は本体を中心として上面にも反応するという点である。本発明は、一種類のものだけではなく複数の物を一度に探せるものであり、同質のサンプルが左右にそろわなければ反応しないようになっている。本発明の測定限界は１５０ｃｍ程である。上部方向も同じである。
【考案を実施するための最良の形態】
【０００９】  以下、本発明の実施の形態を図面に基づき詳細に説明する。【００１０】  図１〜図２は本発明の第１の実施の形態に係り図１はその外観斜視図、第２は側面図である。【００１１】  図１、図２に示すように本万物測定機は、２組の相対した形状を有しており３次元的測定が可能である。【００１２】  深度は本体と手に持った測定する物体のサンプルと地下にある物体とでの反応限界よりひけば深さが決定される。【００１３】  厚さを調べる場合は本体を上下させて右と左１４と１５の部分にて反応したその高さが厚さと等しい。【００１４】  本体の材質はステンレスを用いる。形状が変化しにくいのと耐蝕性及びサビ止めのために有効な材料である。【００１５】  本体のコイル状の１１と１５の深度調節部分は、その巻き数はおよそ１５巻きがよい。あまり巻き数が多すぎるとその重量のために本体が不安定になってしまうので１５巻きを適数とする。直、深度調節部とは磁気を制御し固定した形状をさしている。【００１６】  本体左右の低部１４と１８のうず巻き部分はその巻き数を５巻きとした。本測定機の全体の重量バランスを考えて５巻きを適数とする。【００１７】  本体１３と１７の長さは１５０ｍｍ位までとする。人の手の大きさと生体磁気を利用する本測定機の性質を考えたためである。【００１８】  本測定機の探知面積の最小値は約１０円玉、２個分の面積と比例する。厚さにおいてはその限りではない。【００１９】  本測定機は、左右対称的な構造体となっており、それは生体磁気の特性を考えたものであるので基本的に左右を間違えたり片方だけにしかサンプルを握らなかった時などは測定ができなかったりします。同質のサンプルを２個使用するのが基本である。【００２０】  測定したい物体の位置は本測定機を左右どちらかを上下にして１１と１５の角度が測定者自身に対して水平になった時がその物体の位置と等しい。【００２１】  測定したい物体の大きさを調べる場合は左右の本測定機を３次元的に動かして１１と１５の反応せし開く角度により大きさを判定する。【００２２】  本測定機により測定する時には、親指をつけて軽くサンプルを握ることが基本となる。それはこの測定機が生体磁気を利用した探知方法であるがためであり、この基本的な方法を守ることが完壁なる測定を可能にする最大の点である。親指と人さし指はサンプルに必ずつける。【００２３】  本測定機１４と１８のうず巻き部の大きさは１５０ｍｍ程であり、最大は２００ｍｍまでとしてそれがこの測定機を３次元的測定可能にさせる好適なサイズになるのでこれを標準化する。【００２４】  本体のコイル状の１１と１５の部分はその円のまわりの大きさは２０ｍｍとしているがこのＢ型の万物測定機に限りその最小値を１５ｍｍとして最大値３０ｍｍとする。しかしその値を大きくしても小さくしてもその機能には変わりはないが本体の全体的な重量バランス及び最も重要な部分のためにうず巻き部分との相互バランスを考えたこのサイズが好適なのでこれを標準化する。【００２５】  本体うず巻き部１４と１８及びコイル状部においてこの両方部分を鉛及びステンレス材以外の物体においてこれを囲ってもその測定する本測定機の機能には変化はないがその物体の重量バランスによっ��は変化するのでその部材が軽量なるもので過度の重量をともなうものは利用できない。ただし、１２と１６、１３と１７はその回りを他の部材にて囲うことはできない。それは必要な生体磁気を伝導させられなくなるためである。
【産業上の利用可能性】
【００２６】  本発明は、人命救助等や考古学や地下のあらゆる物体等の測定などの産業分野で利用することができる。
【図面の簡単な説明】
【００２７】
【図１】本発明の第１の実施の形態に係る万物測定機の外観斜視図である。
【図２】図１の万物測定機の側面図である。
【符号の説明】
【００２８】１９  万物測定機右
２０  万物測定機左
１１  コイル状深度調節部右
１５  コイル状深度調節部左
１２  磁気伝導部右
１６  磁気伝導部左
１３  サンプル固定部右
１７  サンプル固定部左
１４  うず巻き型磁気増幅部右
１８  うず巻き型磁気増幅部左
【図１】
0003138626.tif 000003
【図２】
0003138626.tif 000004
(57)【要約】      （修正有）【課題】生鮮雲丹殻体の内体壁に、雲丹卵巣だけを自然保持されたままの状態に加工し、雲丹卵巣への接触による多々の損傷、雑菌等を防止し、長時間に至る生鮮鮮度を図る。【解決手段】生鮮雲丹殻体１の内体壁に、複数の雲丹卵巣２，２ａ，２ｂ，２ｃ，２ｄだけを自然保持されたままの状態に加工し、弾性素材を用い、卵巣保冷保持を図る保冷材受置孔と、外周体壁に雲丹卵巣の損害を防ぐ、複数の凸状を有す圧潰防止突起とを共に設け備え、保冷材受置具を生鮮雲丹殻体１の内体空間部に入置に備え、保冷材受置孔に保冷材体を入置に備えた殻保持生鮮雲丹卵巣。【選択図】図１
0003138630.tif 000002
【実用新案登録請求の範囲】
【請求項１】
生鮮雲丹殻体の内体壁に、複数の雲丹卵巣だけを自然保持されたままの状態に加工し、弾性素材を用い、卵巣保冷保持を図る保冷材受置孔と、外周体壁に雲丹卵巣の損傷を防ぐ、複数の凸状を有す圧潰防止突起とを共に設け備えた、保冷材受置具を生鮮雲丹殻体の内体空間部に入置に備え、保冷材受置孔に、保冷材体を入置に備えた、殻保持生鮮雲丹卵巣。
【考案の詳細な説明】
【技術の分野】
【０００１】  本考案は、生鮮雲丹殻体の内体壁に、複数の雲丹卵巣だけを自然保持されたままの状態に加工し、生鮮雲丹殻体の内体空間部に、卵巣保冷保持を図る、保冷材受置具を入置に備えてなる、殻保持生鮮雲丹卵巣に関するものである。
【背景の技術】
【０００２】  従来、生鮮雲丹卵巣を商品加工を有するさい、生鮮雲丹殻体の内体壁から、一卵一卵を特殊器具を用い接触剥離において取り出し、のち、塩水洗浄、防腐処置等の商品工程をへて、他の商品詰め容器に移し、商品値することが一般的である。
【考案の開示】
【考案が解決しようとする課題】
【０００３】  生鮮雲丹殻体の内体壁より、特殊器具を用い雲丹卵巣を取り出す工程のさい、接触損傷を与えることが多く、また、接触による雑菌の付着も多々あり、生鮮鮮度を低下させる原因となっている。【０００４】  従って、生鮮雲丹殻体の雲丹卵巣には接触せずに自然保持させたままの状態において、他の内臓物だけを排出処理の加工を有し、前述の欠点を解決しようとするものである。
【課題を解決するための手段】
【０００５】  （１）生鮮雲丹殻体の内体壁に、雲丹卵巣だけを自然保持されたままの状態において商品加工している。
（２）弾性素材を用い、卵巣保冷保持を図る、保冷材受置具を設けている。
（３）保冷材受置具に、保冷材受置孔を設けている。
（４）保冷材受置具の外周体壁に、複数の卵巣損傷を防ぐ、圧潰防止突起を設けている。
（５）生鮮雲丹殻体の開口上部より、内体空間部に保冷材受置具を入置に備えている。
（６）保冷材受置孔に、保冷材体を入置に備えている。
【考案の効果】
【０００６】  上記のように本考案は、生鮮雲丹殻体の内体壁に雲丹卵巣を自然保持されたままの状態に加工し、雲丹卵巣に接触することを極力さけた工程において、雲丹卵巣に対し接触圧潰による損傷、接触変温からくる鮮度低下、接触による雑菌の付着等が防止され、今迄とは異なる、長時間に至る生鮮鮮度を維持することができる。【０００７】  又、生鮮雲丹殻体が直接の詰め容器となることにより、食卓において雲丹卵巣の自然観察が楽しめる。
【考案を実施するための最良の形態】
【０００８】  （１）生鮮雲丹殻体の、適当な上部外周体壁に従い、切開による開口を設けている。
（２）生鮮雲丹殻体の内体壁に、雲丹卵巣を自然保持されたままの状態において加工し、他の内臓物を特殊器具を用い剥離排出処理を有し、商品加工している。
（３）弾性素材を用い、卵巣保冷保持を図る、全体形がわん状形を有す保冷材受置具を設けている。
（４）保冷材受置具の上部平面体より内体下部に向け、適当な大きさのわん状形の保冷材受置孔を設けている。
（５）保冷材受置具の外周体壁に、複数の凸状を有す卵巣の損傷を防ぐ圧潰防止突起を設けている。
（６）生鮮雲丹殻体の開口上部より、内体空間部に保冷材受置具を入置に備えている。
（７）保冷材受置孔に、全体形をわん状形に設けた、保冷材体を入置に備えている。
【実施例】
【０００９】  以下、添付図面に従い一実施例を説明する、１は上部外周体壁に従い切開による３開口を設けた生鮮雲丹殻体、２，２ａ，２ｂ，２ｃ，２ｄは１生鮮雲丹殻体の内体壁に自然保持されたままの状態に加工した雲丹卵巣で、他の内臓物を剥離排出処理に加工している。【００１０】  ４は弾性素材を用い、全体形をわん状形に設けた保冷材受置具で、５は４保冷材受置具の上部平面体より内体下部に向け適当な大きさのわん状形に設けた保冷材受置孔と、６，６ａ，６ｂ，６ｃ，６ｄは外周体壁に複数の凸状を有す卵巣の損傷を防ぐ、圧潰防止突起を共に備えている、７は５保冷材受置孔の内径の大きさに設けた保冷材体で、５保冷材受置孔に入置に備えている。【００１１】  よって、１の生鮮雲丹殻体の内体壁２，２ａ，２ｂ，２ｃ，２ｄ雲丹卵巣の間に弾性素材を用いた４保冷材受置具の６，６ａ，６ｂ，６ｃ，６ｄ圧潰防止突起とが交互対称による３開口上部より内体空間部に入置に備え、内体壁と弾性反発において固定している。
【図面の簡単な説明】
【００１２】
【図１】  本考案の殻保持生鮮雲丹卵巣の実施例を示す一部切欠断面斜視図
【図２】  本考案の殻保持生鮮雲丹卵巣加工の実施例を示す一部切欠断面斜視図
【図３】  本考案の保冷材受置具の実施例を示す平面図
【図４】  本考案の保冷材受置具の実施例を示す断面図
【図５】  本考案の保冷材体を示す斜視図
【符号の説明】
【００１３】  １  生鮮雲丹殻体
２  雲丹卵巣
３  開口
４  保冷材受置具
５  保冷材受置孔
６  圧潰防止突起
７  保冷材体
【図１】
0003138630.tif 000003
【図２】
0003138630.tif 000004
【図３】
0003138630.tif 000005
【図４】
0003138630.tif 000006
【図５】
0003138630.tif 000007
(57)【要約】      （修正有）【課題】手袋で、細かい物をつかみ易くする。【解決手段】手袋の指先に爪を取り付ける。【選択図】図１
0003138627.tif 000002
【実用新案登録請求の範囲】
【請求項１】
手袋の指先の爪のついている手袋
【考案の詳細な説明】
【技術分野】
【０１】本考案は、手袋に関するものであり、指先に工夫を加える事により、物をつかみやすくしたものである。
【背景技術】
【０２】従来の手袋は指先が丸くなっている。
【考案の開示】
【考案が解決しようとする課題】
【０３】従来の手袋では、細かい物がつかみにくかった。
【課題を解決するための手段】
【０４】この課題を解決するために、手袋の指先に爪をつけたものである。
【考案の効果】
【０５】よって本考案は家庭用、手術用のゴム手袋などに使用すれば、爪のある分今までより細い作業ができる。
【考案を実施するための最良の形態】
【０６】図１は手袋の平面で指先に爪をつけたことが、特徴である爪を取付る時接着剤は、プラスチック、金属、セラミックなど物質により変る。
【図面の簡単な説明】
【０７】
【図１】本考案の手袋の平面図である。
【図２】従来の手袋の側面図である。
【図３】手袋の指先に爪を取付た側面図である。
【符号の説明】
【０８】１、プラスチックなどで造った爪である。
【図１】
0003138627.tif 000003
【図２】
0003138627.tif 000004
【図３】
0003138627.tif 000005
(57)【要約】【課題】より低コストで製造可能な踏桟部材を提案する。【解決手段】本考案で提案する踏桟部材１は、直線状の異形棒鋼の両端部を同方向に折り曲げることにより、同じ方向へ直線状に延びた両端の埋め込み部分１ａ，１ｂと、該埋め込み部分の間の直線状の踏桟部分１ｃと、を含んだコ字状に形成したことを特徴とする。【選択図】図１
0003138882.tif 000002
【実用新案登録請求の範囲】
【請求項１】
直線状の異形棒鋼の両端部を同方向に折り曲げることにより、同じ方向へ直線状に延びた両端の埋め込み部分と、該埋め込み部分の間の直線状の踏桟部分と、を含んだコ字状に形成したことを特徴とする踏桟部材。
【請求項２】
溶融亜鉛めっきを施してあることを特徴とする請求項１記載の踏桟部材。
【考案の詳細な説明】
【技術分野】
【０００１】
本考案は、固定構造物に恒久的に取り付けられたはしごを構成する、据え付け型の踏桟部材に関する。
【背景技術】
【０００２】
マンホールや、マンションの地下配管点検室、貯水槽、地下ピットなどのコンクリート壁面に、いわゆるタラップと呼ばれるかすがい形の踏桟部材を一列に据え付けて、上り下りのためのはしごを構成したものが知られている。その各踏桟部材は、端部をコンクリート壁面に埋め込んで恒久的に固定するもので、特許文献１〜３に記載されている形状とされる。
【特許文献１】実公昭４８−１１２７６号公報
【特許文献２】実開昭４９−１４４５２６号公報
【特許文献３】実開昭５０−１３０１６８号公報
【考案の開示】
【考案が解決しようとする課題】
【０００３】
近年、建設業におけるコストダウンの要求はますます強まる一方であるが、これに応えるには、たとえ踏桟部材であってもできるだけ製造工程数を少なくして、わずかでもコストがかからないようにしなければならず、そのためには、曲折箇所の削減や特殊加工の廃止が必要である。従来の踏桟部材は、上記特許文献に示されているように、埋め込み固定される端部においてその先端部分を鉤形に曲折することにより抜け止めを形成しており、曲折工程について削減の余地がある。しかし、抜け止めの先端鉤形部分を無くすとなると、その代わりになる構造として、たとえば先端のねじ切り等による凹凸形成が必要であり、コストダウンに寄与するとは言えない。
【０００４】
本考案はこのような背景に鑑みたもので、より低コストで製造可能な踏桟部材を提案するものである。
【課題を解決するための手段】
【０００５】
本考案で提案する踏桟部材は、直線状の異形棒鋼の両端部を同方向に折り曲げることにより、同じ方向へ直線状に延びた両端の埋め込み部分と、該埋め込み部分の間の直線状の踏桟部分と、を含んだコ字状に形成したことを特徴とする。
【考案の効果】
【０００６】
この提案に係る踏桟部材は、異形棒鋼の両端部を同方向に折り曲げるだけ、すなわち一本の棒鋼の二箇所を折り曲げるだけで製造可能で、従来のものに比べて曲折工程を削減することができる。そして、異形棒鋼に元々ある表面の凹凸を抜け止めの構造とすることができるので、抜け止め用の加工を施す必要がない。したがって、従来に比べて低コストで踏桟部材を提供することができるようになる。
【考案を実施するための最良の形態】
【０００７】
図１に、踏桟部材の実施形態を斜視図で示している。
【０００８】
踏桟部材１は、所定長さの一本の異形棒鋼を材料にして製造されている。この異形棒鋼は、コンクリートとの付着を向上させるための凹凸を表面に有した棒状の鋼材で、一般にコンクリート中の鉄筋として使用される。このような直線状の異形棒鋼の両端部を同方向に折り曲げることにより、図示の踏桟部材１は、同じ方向へ直線状に延びた両端の埋め込み部分１ａ，１ｂと、該埋め込み部分１ａ，１ｂの間の直線状の踏桟部分１ｃと、を含んだコ字状に形成されている。なお、図示の例では埋め込み部分１ａ，１ｂの長さをほぼ同じにしてあるが、長さを変えてあってもよい。
【０００９】
さらに、本例の踏桟部材１は、耐腐食性を向上させるため、表面全体に溶融亜鉛めっきを施してある。近年の踏桟部材はステンレス製とされることが多いが、本例の踏桟部材１は、溶融亜鉛めっきにより、材質をステンレスではなく鋼棒とすることを可能にして、さらなるコストダウンを図っている。本例に係る溶融亜鉛めっきは、いわゆるどぶ漬け式で、電気式より安価に厚くめっきしている。図示の例では踏桟部材１の表面全体にめっきしてあるが、コンクリートから露出する部分だけにめっきを施すようにしてもよい。
【００１０】
このような踏桟部材１は、埋め込み部分１ａ，１ｂの半分ないしは１／３程度をコンクリート壁面に埋め込むことにより固定され、はしごを構成する。その施工法としては、コンクリート打ち込み前に、埋め込み部分１ａ，１ｂを型枠に貫通させると共に該型枠に桟木等を用いて結束固定しておけばよい。
【００１１】
踏桟部材１は、一本の異形棒鋼の二箇所を折り曲げるだけで製造されており、埋め込み部分１ａ，１ｂには鉤形の抜け止め曲折も無く、従来のものに比べて曲折工程が削減されている。そして、異形棒鋼に元々ある表面の凹凸が、埋め込み部分１ａ，１ｂにおいてコンクリートに食い付く抜け止めの構造となっているので、別途に抜け止め用の加工を施す必要がない。したがって、従来に比べて低コストで踏桟部材を提供することができる。また加えて、踏桟部分１ｃの表面も異形棒鋼の凹凸を有しているので、これが、上り下りするときの滑り止めの効果を発揮する。
【図面の簡単な説明】
【００１２】
【図１】本考案に係る踏桟部材の実施形態を示した斜視図。
【符号の説明】
【００１３】
１  踏桟部材
１ａ，１ｂ  埋め込み部分
１ｃ  踏桟部分
【図１】
0003138882.tif 000003